(57)【要約】【課題】平面上のアスベスト等の有害物質等を除去するための、低廉で且つ作業性の良い遮蔽膜を提供すること。【解決手段】第１遮蔽膜１０と、第１遮蔽膜１０と所定幅に平行且つ離間して対向させた第２遮蔽膜２０と、第１遮蔽膜１０の噛合部１１に噛合した第３噛合部３１と、第２遮蔽膜２０に噛合した第４噛合部３２を両端辺に有する第３遮蔽膜３０と、第１噛合部にスライド可能な第５噛合部４２と、第３噛合部３１にスライド可能な第６噛合部４３とを有する第１袋状部材４０と、第２遮蔽膜２０にスライド可能な第７噛合部５２と、第４噛合部３２にスライド可能な第８噛合部５３スライド部材とを有する第２袋状部材５０とからなり、上記第１袋状部材４０と第２袋状部材５０は、互いに対向して設けられている。【選択図】図１
2011007020.tif 000002
【特許請求の範囲】
【請求項１】
平面上に貼付し、第１噛合部を有する第１遮蔽膜と、
平面上に貼付し、上記第１噛合部と所定幅に平行且つ離間して対向させて、第２噛合部を有する第２遮蔽膜と、
上記第１噛合部に噛合した第３噛合部と、上記第２噛合部に噛合した第４噛合部を両端辺に有する第３遮蔽膜と、
上記第１噛合部の長さ方向一部に噛合または係合すると共にスライド可能な第１スライド部材と、上記第３噛合部の長さ方向一部に噛合すると共にスライド可能な第２スライド部材とを有する第１袋状部材と、
上記第２噛合部の長さ方向一部に噛合または係合すると共にスライド可能な第３スライド部材と、上記第４噛合部の長さ方向一部に噛合すると共にスライド可能な第４スライド部材とを有する第２袋状部材とからなり、
上記第１袋状部材と第２袋状部材は、互いに対向して設けられていることを特徴とする遮蔽膜構造。
【請求項２】
請求項１に記載の遮蔽膜構造において、
上記第２スライド部材を第１スライド部材よりも長くして、上記第２スライド部材を第１スライド部材から離間させ、第４スライド部材を第３スライド部材よりも長くして、第４スライド部材を第３スライド部材から離間させ、上記遮蔽膜を平面から離間させるようにしていることを特徴とする遮蔽膜構造。
【請求項３】
請求項１または２に記載の遮蔽膜構造において、
上記第２スライド部材および第４スライド部材は、硬質材料からなり、上記第１スライド部材および上記第３スライド部材に向って開口する弓型に湾曲していることを特徴とする遮蔽膜構造。
【発明の詳細な説明】
【技術分野】
【０００１】  この発明は、平面上にアスベスト等の有害物質の存在する面から有害物質を除去する際等に使用して好適な有害物質等を遮蔽する遮蔽膜構造に関する。
【背景技術】
【０００２】  従来、アスベスト等の有害物質等の存在する空間を遮蔽する遮蔽膜に関する提案がある（特開２００７−２３１７０５号公報）。
上記公報における遮蔽膜は、外部空間と連通する人形に形成したもので、人形の中に作業員が入った状態で、有害物質除去空間内を移動して有害物質を除去する。
しかしながら、上記遮蔽膜は、有害物質除去空間内を移動するだけの多量の遮蔽膜を必要とし、人形に形成するので高価になるという問題がある。
また、上記外部空間と連通する人形に形成した遮蔽膜のほかに、有害物質を含まない天井、壁面等を遮蔽する必要があり、遮蔽膜材料が多量に必要であり、除去碑が高額になるという問題がある。
【特許文献１】特開２００７−２３１７０５号公報
【発明の開示】
【発明が解決しようとする課題】
【０００３】  そこで、この発明の課題は、平面上のアスベスト等の有害物質等を除去するための、低廉で且つ作業性の良い遮蔽膜構造を提供することにある。
【課題を解決するための手段】
【０００４】  この課題を解決するために、この発明の遮蔽膜構造は、平面上に貼付し、第１噛合部を有する第１遮蔽膜と、平面上に貼付し、上記第１噛合部と所定幅に平行且つ離間して対向させて、第２噛合部を有する第２遮蔽膜と、上記第１噛合部に噛合した第３噛合部と、上記第２噛合部に噛合した第４噛合部を両端辺に有する第３遮蔽膜と、上記第１噛合部の長さ方向一部に噛合または係合すると共にスライド可能な第１スライド部材と、上記第３噛合部の長さ方向一部に噛合すると共にスライド可能な第２スライド部材とを有する第１袋状部材と、上記第２噛合部の長さ方向一部に噛合または係合すると共にスライド可能な第３スライド部材と、上記第４噛合部の長さ方向一部に噛合すると共にスライド可能な第４スライド部材とを有する第２袋状部材とからなり、上記第１袋状部材と第２袋状部材は、互いに対向して設けられていることを特徴としている。【０００５】  １実施形態の遮蔽膜構造は、請求項２記載するように、上記第２スライド部材を第１スライド部材よりも長くして、上記第２スライド部材を第１スライド部材から離間させ、第４スライド部材を第３スライド部材よりも長くして、第４スライド部材を第３スライド部材から離間させ、上記遮蔽膜を平面から離間させるようにしていることを特徴としている。
また、１実施形態の遮蔽膜構造は、請求項３記載するように、上記第２スライド部材および第４スライド部材は、硬質材料からなり、上記第１スライド部材および上記第３スライド部材に向って開口する弓型に湾曲していることを特徴としている。
【発明の効果】
【０００６】  この発明の遮蔽膜構造によれば、上記第１噛合部と上記第２噛合部と上記遮蔽膜で有害物質を含む平面を直接覆うので、遮蔽膜は必要最小限であり、遮蔽膜の費用が少なくなる。
また、第１噛合部と第３噛合部とは、気密的に噛合し、第２噛合部と第４噛合部とは、気密的に噛合しているので、上記遮蔽幕で覆われた平面上の有害物質を除去する作業をしても有害物質が遮蔽膜の外（清澄空間）に飛散することはない。
また、上記第１噛合部の長さ方向一部に噛合すると共にスライド可能な第１スライド部材と、上記第３噛合部の長さ方向一部に噛合すると共にスライド可能な第２スライド部材とを有する第１袋状部材と、上記第２噛合部の長さ方向一部に噛合すると共にスライド可能な第３スライド部材と上記第４噛合部の長さ方向一部に噛合すると共にスライド可能な第４スライド部材とを有する第２袋状部材とを設けているので、これら袋状部材を利用して、除去した除去物質を収納したり、除去作業を行ったり、資器材を作業空間に持ち込んだりできる。【０００７】  また、上記第１袋状部材と第２袋状部材は、互いに対向して設けられ、上記第１噛合部および上記第３噛合部、上記第２噛合部および上記第４噛合部に対してスライド可能であるので、上記袋状部材をスライドさせながら除去作業ができ、作業効率を向上させることができる。
上記実施形態の遮蔽構造によれば、上記遮蔽膜を平面から離間させるようにしているので、上記遮蔽膜と上記平面との間に作業空間が形成され、除去作業が容易になり、作業効率の向上が図れる。
また、上記実施形態の遮蔽膜構造によれば、上記第２スライド部材および第４スライド部材は、硬質材料からなり、上記第１スライド部材および上記第３スライド部材に向って開口する弓型に湾曲しているので、袋状部材の開口を確実に確保できると共に確実に上記遮蔽膜を平面から離間させることができる。
【発明を実施するための最良の形態】
【０００８】  以下、この発明を図示の形態により詳細に説明する。
図１は、この発明の遮蔽膜構造の一実施形態の斜視図である。
図２は、図１におけるＩＩ−ＩＩ方向断面の断面図である。
図３は、図１におけるＩＩＩ−ＩＩＩ方向断面の断面図である。
この遮蔽膜構造は、アスベスト等の有害物質等の付着した廊下等の平面上１に貼付する第１遮蔽幕１０および第２遮蔽膜２０と、上記第１遮蔽幕１０と第２遮蔽膜２０間に亘って張設する第３遮蔽膜３０と、上記第１遮蔽幕１０と上記第３遮蔽膜３０の中間に設け、上記第３遮蔽膜３０と平面１の間に出没できる第１袋状部材４０および第２袋状部材５０とからなる。【０００９】  上記第１遮蔽幕１０は、長尺の噛合部１１と上記噛合部の片側に取付けた長尺のテープ状膜１２からなる。上記テープ状膜１２をアスベスト等の有害物質等の付着した廊下、天井等の平面上１に貼付する。
上記第２遮蔽膜２０は、長尺の噛合部２１と上記噛合部の片側に取付けた長尺のテープ状膜２２からなる。上記テープ状膜２２をアスベスト等の有害物質等の付着した廊下等の平面上１に貼付する。上記第２遮蔽膜２０は、上記第１遮蔽幕１０と互いに噛合部１１、２１を対向させ、且つ平行に設けてある。
上記第１遮蔽膜１０と上記第３遮蔽膜３０の中間には、上記第３遮蔽膜３０と平面１の間に（図３の矢印）出没できる第１袋状部材４０および第２袋状部材５０が設けてある。【００１０】  上記第３遮蔽膜３０は、上記第１遮蔽膜１０と第２遮蔽膜２０との離間間隔より広い幅を有する長尺のシート状部材であり、その両端縁に長尺の第３噛合部３１と第４噛合部３２を取付けてある。上記第３噛合部３１は、上記第１遮蔽膜１０の噛合部１１に気密状に噛合する。上記第４噛合部３２は、第２遮蔽膜２０の噛合部２１に気密状に噛合する。上記第３遮蔽膜３０は、上記第３噛合部３１を上記噛合部１１に噛合させ、上記第４噛合部３２を上記噛合部２１に噛合させることによって、上記第１遮蔽膜１０と第２遮蔽膜２０との間に亘って張設され、平面１上のアスベスト等有害物質の飛散を防止する。【００１１】  上記第１袋状部材４０は、資器材の出し入れや除去物の搬出をする柔軟性ビニールでできた袋、作業員が少なくとも手を入れて除去作業を行あう防護服などに使用する袋状部４１と、その開口縁周囲に取り付けた第１スライド部材である第５噛合部４２と第２スライド部材である第６噛合部４３とからなる。上記第１袋状部材４０は、上記第１遮蔽膜１０と上記第３噛合部３１の長さ方向適所の一部を噛合解除して設けられる。【００１２】  上記第５噛合部４２は、上記第１遮蔽膜１０の噛合部１１と噛合すると共に長さ方向にスライド可能に取付けられる。上記第６噛合部４３は、上記第３噛合部３１と噛合すると共に長さ方向にスライド可能に取付けられる。
上記第６噛合部４３は、上記第５噛合部４２よりも長い。すなわち、上記第６噛合部４３と上記第５噛合部４２端部同士を近接すると、上記第６噛合部４３は、上記第６噛合部４３を弦とした弓型に湾曲し弓形の開口４４を形成する。この弓形の開口４４によって、上記袋状部４１は、上記第３遮蔽膜３０の内側と外側に（図３の矢印）出没できる。そして、この第１袋状部４１を介して除去作業等を行う。【００１３】  上記第２袋状部材５０は、資器材の出し入れや除去物の搬出をする柔軟性ビニールでできた袋、作業員が少なくとも手を入れて除去作業を行あう防護服などに使用する袋状部５１と、その開口縁周囲に取り付けた第３スライド部材である第７噛合部５２と第４スライド部材である第８噛合部５３とからなる。上記第１袋状部材５０は、上記第２遮蔽膜２０と上記第４噛合部３２の長さ方向適所の一部を噛合解除して設けられる。【００１４】  上記第７噛合部５２は、上記第２遮蔽膜２０の噛合部２１と噛合すると共に長さ方向にスライド可能に取付けられる。上記第８噛合部５３は、上記第４噛合部３２と噛合すると共に長さ方向にスライド可能に取付けられる。
上記第８噛合部５３は、上記第７噛合部５２よりも長い。すなわち、上記第８噛合部５３と上記第７噛合部５２端部同士を近接すると、上記第８噛合部５３は、上記第７噛合部５２を弦とした弓型に湾曲し弓形の開口５４を形成する。この弓形の開口５４によって、上記袋状部５１は、上記第３遮蔽膜３０の内側と外側に（図３の矢印）出没できる。そして、この第２袋状部５１を介して除去作業等を行う。【００１５】  符号６０ａ、６０ｂ、６０ｃ、６０ｄ、は、上記第１袋状部材４０および上記第２袋状部材５０を取り付けるために、上記第１遮蔽膜１０の第１噛合部１１と上記第３噛合部３１、さらに、上記第２遮蔽膜２０の第２噛合部と上記第４噛合部３２を噛合または解除するために設けられるスライダーである。
上記スライダー６０ａは、上記噛合部１１と上記噛合部３１を噛合する機能を有する合流口６１ａと上記噛合部１１と上記噛合部３１の噛合を解除する機能を有する分岐口６２ａとを前後に配置したものである。このスライダー６０ａと同一の機能を有するスライダー６０ｂが、その分岐口６２ｂと上記スライダー６０ａの分岐口６２ａとを対向させて、上記第１遮蔽膜１０の第１噛合部１１と上記第３噛合部３１を挟むように設けている。そして、２箇所の上記スライダー６０ａ、６０ｂの分岐口６２ａ、６２ｂには、上記噛合部４２、４３のそれぞれの端部が近接または固定してある。【００１６】  さらに、上記スライダー６０ｃは、上記噛合部２１と上記噛合部３２を噛合する機能を有する合流口６１ｃと上記噛合部２１と上記噛合部３２の噛合を解除する機能を有する分岐口６２ｃとを前後に配置したものである。このスライダー６０ｃと同一の機能を有するスライダー６０ｄが、その分岐口６２ｄと上記スライダー６０ｃの分岐口６２ｃとを対向させて、上記第１遮蔽膜２０の第２噛合部２１と上記第３噛合部３２を挟むように設けている。そして、２箇所の上記スライダー６０ｃ、６０ｄの分岐口６２ｃ、６２ｄには、上記噛合部５２、５３のそれぞれの端部が近接または固定してある。【００１７】  上記第１袋状部材４０と第２袋状部材５０は、互いに対向して設けられている。すなわち、上記噛合部４２と上記噛合部５２が対向し、上記噛合部４３と上記噛合部５３が対向している。この互いに対向していることおよび上記噛合部４３と上記噛合部５３が湾曲していることから、上記第３遮蔽膜３０は、他の部分に対して盛り上がった状態になり、波型を形成する。この波型を形成した第３遮蔽膜３０と平面１との空間が除去作業を行う空間である。
そして、上記第１袋状部材４０と第２袋状部材５０は、第１スライド部材である第５噛合部４２、第２スライド部材である第６噛合部４、第３スライド部材である第７噛合部５２および第４スライド部材である第８噛合部５３を有するので、噛合部に沿って移動させることができ、除去作業に応じてその位置をスライド変更でき、除去作業を効率的に行うことができる。この場合、上記スライダー６０ａ、６０ｂ、６０ｃ、６０ｄを同時に移動させると、上記第１袋状部材４０と第２袋状部材５０が移動すると同時に、上記第１噛合部と第３噛合部が噛合し、上記第２噛合部と第４噛合部が噛合する。【００１８】  上記説明では、各噛合部を通称ジップロック（商標名）やビニールチャック（ビニチャック）称されるものを使用した場合について説明したが、噛合部は、それに限定されない。噛合部として、テープに務歯を取付け、務歯を噛合させるファスナを用いることができる。この場合、ファスナの務歯は、噛合するがスライドしないので、袋状部材のスライド部材すなわち第５〜８噛合部は、断面Ｃ字型の棒体を使用することができる。断面Ｃ字型の棒体の開口部にファスナのテープを挿入して、務歯を開口部に係止するようにする。
この発明の遮蔽膜構造によれば、上記第１遮蔽膜１０と上記第２遮蔽膜２０と上記第３遮蔽膜３０で有害物質を含む平面１を直接覆うので、遮蔽膜は必要最小限であり、遮蔽膜等の費用が少なくなる。【００１９】  また、第１遮蔽膜１０と第３噛合部３１とは、気密的に噛合し、第２遮蔽膜２０と第４噛合部３２とは、気密的に噛合しているので、上記遮蔽幕で覆われた平面１上の有害物質を除去する作業をしても有害物質が遮蔽膜の外（清澄空間）に飛散することはない。
また、上記第１遮蔽膜１０の長さ方向一部に噛合すると共にスライド可能な第１スライド部材４２と、上記第３噛合部３１の長さ方向一部に噛合すると共にスライド可能な第２スライド部材４３とを有する第１袋状部材４０と、上記第２遮蔽膜２０の長さ方向一部に噛合すると共にスライド可能な第３スライド部材５２と上記第４噛合部３２の長さ方向一部に噛合すると共にスライド可能な第４スライド部材５３とを有する第２袋状部材５０とを設けているので、これら袋状部材を利用して、除去した除去物質を収納したり、除去作業を行ったり、資器材を作業空間に持ち込んだりできる。【００２０】  また、上記第１袋状部材４０と第２袋状部材５０は、互いに対向して設けられ、上記第１遮蔽膜１０および上記第３噛合部３１、上記第２遮蔽膜２０および上記第４噛合部３２に対してスライド可能であるので、上記袋状部材４０、５０をスライドさせながら除去作業ができ、作業効率を向上させることができる。
また、上記第３遮蔽膜３０を平面１から離間させるようにしているので、上記第３遮蔽膜３０と上記平面１との間に作業空間が形成され、除去作業が容易になり、作業効率の向上が図れる。
また、上記第２スライド部材４３および第４スライド部材５３は、硬質材料からなり、上記第１スライド部材４２および上記第３スライド部材５２に向って開口する弓型に湾曲しているので、袋状部材の開口を確実に確保できると共に確実に上記第３遮蔽膜３０を平面から離間させることができる。
【図面の簡単な説明】
【００２１】
【図１】この発明の遮蔽膜構造の一実施形態の斜視図である。
【図２】図１におけるＩＩ−ＩＩ方向断面の断面図である。
【図３】図１におけるＩＩＩ−ＩＩＩ方向断面の断面図である。
【符号の説明】
【００２２】１０  第１遮蔽膜
１１  噛合部
２０  第２遮蔽膜
２１  噛合部
３０  第３遮蔽膜
３１  第３噛合部
３２  第４噛合部
４０  第１袋状部材
４１  袋状部
４２  第５噛合部
４３  第６噛合部
５０  第２袋状部材
５１  袋状部
５２  第７噛合部
５３  第６噛合部
６０ａ、６０ｂ、６０ｃ、６０ｄ  スライダー
【図１】
2011007020.tif 000003
【図２】
2011007020.tif 000004
【図３】
2011007020.tif 000005